(57)【要約】【課題】所望の位置に、所望の形状を維持したシート形態の細胞群を接着させることができる遠心機及びそれに適用するための遠心機用スイングバケットの提供。【解決手段】本発明は、遠心機のスイングローターに取り付けるためのスイングバケットであって、前記スイングバケットが、平坦な培養面を有する培養容器を載置するための底板と、前記底板に連結され、対向するように設けられた一対の側部と、揺動軸が前記底板と平行となるように、前記側部のそれぞれに設けられたスイングローター取付部材と、を備え、ここで、前記スイングバケットは、停止中の前記遠心機における前記スイングバケットの前記底板にサンプルを含む前記培養容器が載置された時に、前記底板が水平面に対して揺動軸の周りに任意の角度で傾斜するように調節可能な傾斜角調節手段を有することを特徴とするスイングバケットを提供する。【選択図】図３
2019195781.tif 000002
【特許請求の範囲】
【請求項１】
遠心機のスイングローターに取り付けるためのスイングバケットであって、前記スイングバケットが、
平坦な培養面を有する培養容器を載置するための底板と、
前記底板に連結され、対向するように設けられた一対の側部と、
揺動軸が前記底板と平行となるように、前記側部のそれぞれに設けられたスイングローター取付部材と、
を備え、
ここで、前記スイングバケットは、停止中の前記遠心機における前記スイングバケットの前記底板にサンプルを含む前記培養容器が載置された時に、前記底板が水平面に対して前記揺動軸の周りに任意の角度で傾斜するように調節できる傾斜角調節手段を有することを特徴とする、スイングバケット。
【請求項２】
前記傾斜角調節手段が、前記一対の側部のそれぞれに、前記揺動軸が前記底板と平行となる位置に複数設けられた前記スイングローター取付部材である、請求項１に記載のスイングバケット。
【請求項３】
前記傾斜角調節手段が、前記一対の側部のそれぞれに、前記揺動軸を前記底板と平行となる位置で調節可能な調節部材を備えた前記スイングローター取付部材である、請求項１に記載のスイングバケット。
【請求項４】
前記調節部材が、スプリング及び／又はジャッキである、請求項３に記載のスイングバケット。
【請求項５】
前記傾斜角調節手段が、前記底板に設けられた錘である、請求項１に記載のスイングバケット。
【請求項６】
前記錘が、前記底板の底面で移動可能に設けられた錘である、請求項５に記載のスイングバケット。
【請求項７】
請求項１〜６のいずれか１項に記載のスイングバケットと、
前記スイングバケットが取り付けられたスイングローターと、
を備える遠心機。
【請求項８】
さらに、２５℃〜５０℃の温度範囲の保温機能を有する、請求項７に記載の遠心機。
【請求項９】
遠心機を用いて、培養容器内の平坦な培養面上で細胞群に力を印加する方法であって、
前記遠心機が、スイングローターと、
前記スイングローターに取り付けられたスイングバケットと
を備え、
ここで前記スイングバケットが、
平坦な培養面を有する培養容器を載置するための底板と、
前記底板に連結され、対向するように設けられた一対の側部と、
揺動軸が前記底板と平行となるように、前記側部のそれぞれに設けられたスイングローター取付部材と、
を備え、
ここで、前記スイングバケットは、停止中の前記遠心機における前記スイングバケットの前記底板にサンプルを含む前記培養容器が載置された時に、前記底板が水平面に対して前記揺動軸の周りに任意の角度で傾斜するように調節できる傾斜角調節手段を有し、
以下の工程：
（１）第１細胞群を含む、平坦な培養面を有する培養容器を、前記スイングバケットの前記底板に載置し、前記傾斜角調節手段を調整して、前記底板が水平面に対して前記揺動軸の周りに任意の角度で傾斜するよう調整する工程、
（２）前記工程（１）後の前記スイングバケットを前記遠心機にセットし、所定時間、遠心力を印加する工程、
を含む、方法。
【請求項１０】
さらに、（３）前記第１細胞群の上に、第２細胞群を加え、所定時間、遠心力を印加する工程、を含む、請求項９に記載の方法。
【請求項１１】
前記第２細胞群が、シート形態又は懸濁液形態である、請求項１０に記載の方法。
【請求項１２】
前記第１細胞群が、シート形態又は懸濁液形態である、請求項９〜１１のいずれか１項に記載の方法。
【請求項１３】
前記遠心力に到達するまでの時間が、２５秒以上である、請求項９〜１２のいずれか１項に記載の方法。
【請求項１４】
前記遠心力を停止させるまでの時間が、２５秒以上である、請求項９〜１３のいずれか１項に記載の方法。
【請求項１５】
前記遠心機が、２５℃〜４５℃の温度範囲の保温機能を有する、請求項９〜１４のいずれか１項に記載の方法。
【請求項１６】
前記培養容器が、温度応答性培養表面を有する培養容器である、請求項９〜１５のいずれか１項に記載の方法。
【請求項１７】
前記温度応答性培養表面は、ポリ（Ｎ−イソプロピルアクリルアミド）が少なくともその培養面の一部に被覆された培養表面である、請求項１６に記載の方法。
【請求項１８】
前記傾斜角調節手段が、前記一対の側部のそれぞれに、前記揺動軸が前記底板と平行となる位置に複数設けられた前記スイングローター取付部材である、請求項９〜１７のいずれか１項に記載の方法。
【請求項１９】
前記傾斜角調節手段が、前記一対の側部のそれぞれに、前記揺動軸を前記底板と平行となる位置で調節可能な調節部材を備えた前記スイングローター取付部材である、請求項９〜１７のいずれか１項に記載の方法。
【請求項２０】
前記調節部材が、スプリング及び／又はジャッキである、請求項１９に記載の方法。
【請求項２１】
前記傾斜角調節手段が、前記底板に設けられた錘である、請求項９〜１７のいずれか１項に記載の方法。
【請求項２２】
前記錘が、前記底板の底面で移動可能に設けられた錘である、請求項２１に記載の方法。
【発明の詳細な説明】
【技術分野】
【０００１】
本発明は、遠心機用スイングバケット及びそれを備える遠心機に関する。また、本発明は、遠心機用スイングバケット及びそれを備える遠心機を用いた細胞群への力の印加方法に関する。
【背景技術】
【０００２】
近年、再生医療や薬物応答組織モデルへ利用することを目的として、細胞を用いた三次元的な組織、臓器を作製する技術が開発されている。従来、接着性細胞の多くは生体外では二次元的にしか培養することができなかった。しかし、生体内の多くの組織は、細胞が三次元的に配置された構造体であり、より生体内の状態に近い組織を作製するために、細胞を三次元的に構築する技術が求められていた。
【０００３】
細胞を三次元的に構築する試みとしては、例えば、細胞をスキャフォールドと呼ばれる三次元構造体に播種する方法や、臓器・組織を脱細胞化し、残存したマトリックスに播種して三次元化する方法、シート状に剥離された細胞群を三次元的に積層する方法などが開発されている。
【０００４】
シート形態の細胞群を作製する方法の１つとして、ポリ（Ｎ−イソプロピルアクリルアミド）（ＮＩＰＡＡｍ）が被覆された細胞培養皿（温度応答性培養皿）を用いる方法が知られている（例えば、非特許文献１）。温度応答性培養皿上で任意の細胞を培養し、細胞がコンフルエントになった後に、温度をＮＩＰＡＡｍの下限臨界溶液温度（ＬＣＳＴ）未満である２０℃に変えることで、非侵襲的にシート形態の細胞群が得られる。得られたシート形態の細胞群を積層し、プレート用の遠心機を用いて遠心力を印加することにより、短時間でシート形態の細胞群を三次元化する方法も知られている（例えば、非特許文献２及び３）。
【０００５】
また、培地に懸濁された状態の細胞群（細胞懸濁液）に直接遠心力を印加し、容器底面に沈降・凝集させることにより、シート形態の細胞群や三次元的な組織を短時間で作製する技術も知られている（特許文献１）。
【先行技術文献】
【特許文献】
【０００６】
【特許文献１】特開２０１０−１６１９５２公報
【非特許文献】
【０００７】
【非特許文献１】Ｈａｒａｇｕｃｈｉ  Ｙ．，ｅｔ  ａｌ．，Ｓｃａｆｆｏｌｄ−ｆｒｅｅ  ｔｉｓｓｕｅ  ｅｎｇｉｎｅｅｒｉｎｇ  ｕｓｉｎｇ  ｃｅｌｌ  ｓｈｅｅｔ  ｔｅｃｈｎｏｌｏｇｙ．ＲＳＣ  Ａｄｖ．，２０１２；２：２１８４−２１９０
【非特許文献２】Ｈａｓｅｇａｗａ  Ａ．，ｅｔ  ａｌ．，Ｒａｐｉｄ  ｆａｂｒｉｃａｔｉｏｎ  ｓｙｓｔｅｍ  ｆｏｒ  ｔｈｒｅｅ−ｄｉｍｅｎｓｉｏｎａｌ  ｔｉｓｓｕｅｓ  ｕｓｉｎｇ  ｃｅｌｌ  ｓｈｅｅｔ  ｅｎｇｉｎｅｅｒｉｎｇ  ａｎｄ  ｃｅｎｔｒｉｆｕｇａｔｉｏｎ．Ｊ．Ｂｉｏｍｅｄ．Ｍａｔｅｒ  Ｒｅｓ．Ａ  ２０１５；１０３：３８２５−３８３３
【非特許文献３】Ｈａｒａｇｕｃｈｉ  Ｙ．，ｅｔ  ａｌ．，Ｔｈｒｅｅ−ｄｉｍｅｎｓｉｏｎａｌ  ｈｕｍａｎ  ｃａｒｄｉａｃ  ｔｉｓｓｕｅ  ｅｎｇｉｎｅｅｒｅｄ  ｂｙ  ｃｅｎｔｒｉｆｕｇａｔｉｏｎ  ｏｆ  ｓｔａｃｋｅｄ  ｃｅｌｌ  ｓｈｅｅｔｓ  ａｎｄ  ｃｒｏｓｓ−ｓｅｃｔｉｏｎａｌ  ｏｂｓｅｒｖａｔｉｏｎ  ｏｆ  ｉｔｓ  ｓｙｎｃｈｒｏｎｏｕｓ  ｂｅａｔｉｎｇｓ  ｂｙ  ｏｐｔｉｃａｌ  ｃｏｈｅｒｅｎｃｅ  ｔｏｍｏｇｒａｐｈｙ．Ｂｉｏｍｅｄ．Ｒｅｓ．Ｉｎｔ．２０１７；２０１７：５３４１７０２
【発明の概要】
【発明が解決しようとする課題】
【０００８】
遠心力を印加することにより懸濁液形態の細胞群からシート形態の細胞群を形成させる場合に、形成されるシート形態の細胞群の層が不均一となったり、シート形態の細胞群を培養面に接着させる場合に、シート形態の細胞群が横滑りしてしまい、所望の位置に接着出来なかったり、シート形態の細胞群の形状が遠心力により変形してしまい、所望の形状を有するシート形態の細胞群が得られないといった課題があった。従って、本発明は、均一の層を持つシート形態の細胞群を作製できる遠心機及び遠心機用バケット、及び／又は、所望の位置に、所望の形状を維持したシート形態の細胞群を接着させることができる遠心機及び遠心機用バケット、を提供することを目的とする。また、当該遠心機及び遠心機用バケットを使用した細胞群への力の印加方法を提供することも目的とする。
【課題を解決するための手段】
【０００９】
本発明者らは、上記課題を解決するために、種々の角度から検討を加えて研究開発を行ってきた。その結果、停止中の遠心機におけるスイングバケットにサンプルを含む培養容器を載置させた時に、スイングバケットの底板が水平面に対して揺動軸の周りに任意の角度で傾斜するよう調節する傾斜角調節手段を備えることによって、細胞群から、均一の層を持つシート形態の細胞群を再現良く形成させることができることや、シート形態の細胞群を再現良く、所望の位置に、所望の形状を保ったまま接着させることができることを見出した。すなわち、本発明は、以下の態様を含む。
【００１０】
［１］  遠心機のスイングローターに取り付けるためのスイングバケットであって、
前記スイングバケットが、
平坦な培養面を有する培養容器を載置するための底板と、
前記底板に連結され、対向するように設けられた一対の側部と、揺動軸が前記底板と平行となるように、前記側部のそれぞれに設けられたスイングローター取付部材と、
を備え、
ここで、前記スイングバケットは、停止中の前記遠心機における前記スイングバケットの前記底板にサンプルを含む前記培養容器が載置された時に、前記底板が水平面に対して前記揺動軸の周りに任意の角度で傾斜するように調節できる傾斜角調節手段を有することを特徴とする、スイングバケット。
［２］  前記傾斜角調節手段が、前記一対の側部のそれぞれに、前記揺動軸が前記底板と平行となる位置に複数設けられた前記スイングローター取付部材である、［１］に記載のスイングバケット。
［３］  前記傾斜角調節手段が、前記一対の側部のそれぞれに、前記揺動軸を前記底板と平行となる位置で調節可能な調節部材を備えた前記スイングローター取付部材である、［１］に記載のスイングバケット。
［４］  前記調節部材が、スプリング及び／又はジャッキである、［３］に記載のスイングバケット。
［５］  前記傾斜角調節手段が、前記底板に設けられた錘である、［１］に記載のスイングバケット。
［６］  前記錘が、前記底板の底面で移動可能に設けられた錘である、［５］に記載のスイングバケット。
【００１１】
［７］  ［１］〜［６］のいずれか１項に記載のスイングバケットと、
前記スイングバケットが取り付けられたスイングローターと、
を備える遠心機。
［８］  さらに、２５℃〜４５℃の温度範囲の保温機能を有する、［７］に記載の遠心機。
【００１２】
［９］  遠心機を用いて、培養容器内の平坦な培養面上で細胞群に力を印加する方法であって、
前記遠心機が、
スイングローターと、
前記スイングローターに取り付けられたスイングバケットとを備え、
ここで前記スイングバケットが、
平坦な培養面を有する培養容器を載置するための底板と、
前記底板に連結され、対向するように設けられた一対の側部と、
揺動軸が前記底板と平行となるように、前記側部のそれぞれに設けられたスイングローター取付部材と、
を備え、
ここで、前記スイングバケットは、停止中の前記遠心機における前記スイングバケットの前記底板にサンプルを含む前記培養容器が載置された時に、前記底板が水平面に対して前記揺動軸の周りに任意の角度で傾斜するように調節できる傾斜角調節手段を有し、
以下の工程：
（１）第１細胞群を含む、平坦な培養面を有する培養容器を、前記スイングバケットの前記底板に載置し、前記傾斜角調節手段を調整して、前記底板が水平面に対して揺動軸周りに任意の角度、傾斜するよう調整する工程、
（２）前記工程（１）後の前記スイングバケットを前記遠心機にセットし、所定時間、遠心力を印加する工程、
を含む、方法。
［１０］  さらに、（３）前記第１細胞群の上に、第２細胞群を加え、所定時間、遠心力を印加する工程、を含む、［９］に記載の方法。
［１１］  前記第２細胞群が、シート形態又は懸濁液形態である、［１０］に記載の方法。
［１２］  前記第１細胞群が、シート形態又は懸濁液形態である、［９］〜［１１］のいずれか１項に記載の方法。
［１３］  前記遠心力に到達するまでの時間が、２５秒以上である、［９］〜［１２］のいずれか１項に記載の方法。
［１４］  前記遠心力を停止させるまでの時間が、２５秒以上である、［９］〜［１３］のいずれか１項に記載の方法。
［１５］  前記遠心機が、２５℃〜５０℃の温度範囲の保温機能を有する、［９］〜［１４］のいずれか１項に記載の方法。
［１６］  前記培養容器が、温度応答性培養表面を有する培養容器である、［９］〜［１５］のいずれか１項に記載の方法。
［１７］  前記温度応答性培養表面は、ポリ（Ｎ−イソプロピルアクリルアミド）が少なくともその培養面の一部に被覆された培養表面である、［１６］に記載の方法。
［１８］  前記傾斜角調節手段が、前記一対の側部のそれぞれに、前記揺動軸が前記底板と平行となる位置に複数設けられた前記スイングローター取付部材である、［９］〜［１７］のいずれか１項に記載の方法。
［１９］  前記傾斜角調節手段が、前記一対の側部のそれぞれに、前記揺動軸を前記底板と平行となる位置で調節可能な調節部材を備えた前記スイングローター取付部材である、［９］〜［１７］のいずれか１項に記載の方法。
［２０］  前記調節部材が、スプリング及び／又はジャッキである、［１９］に記載の方法。
［２１］  前記傾斜角調節手段が、前記底板に設けられた錘である、［９］〜［１７］のいずれか１項に記載の方法。
［２２］  前記錘が、前記底板の底面で移動可能に設けられた錘である、［２１］に記載の方法。
【発明の効果】
【００１３】
本発明によれば、シート形態の細胞群を培養容器内の平坦な培養面に接着させる際、シート形態の細胞群の横滑りや変形を防止することにより、所望の形状を保ったまま、培養容器の任意の場所に接着させることができる。また、本発明によれば、懸濁液形態の細胞群を培養容器内の平坦な培養面に沈降させる際、沈降させる細胞の層が不均一になることが防止され、均一な層を有するシート形態の細胞群を得ることが可能となる。
【図面の簡単な説明】
【００１４】
【図１】サンプルを有する培養容器を載置した従来のスイングバケットを備えた遠心機の状態を示す模式図である。（Ａ）サンプル（細胞群）を有する培養容器を載置した従来のスイングバケットを備えた遠心機の内部の状態を示す模式図（正面図）である。培養容器をスイングバケットに載せた時に、スイングバケットが傾いている。（Ｂ）（Ａ）を上部から表した図である（培養容器は示さず）。Ａ−Ａは、揺動軸を示す。（Ｃ）（Ａ）の状態で力を印加後の細胞群の状態を示す。
【図２】図１（Ａ）の状態において、遠心機を作動させた場合に生じる力を模式的に示す図である。（Ａ）任意の回転数で作動中の図１（Ａ）の遠心機の状態を示す模式図である。（Ｂ）（Ａ）のＦを培養容器の表面に垂直及び水平成分に分解した力を示す模式図である。
【図３】本発明の一実施態様におけるスイングバケットを示す正面図である。
【図４】本発明の一実施態様におけるスイングバケットを示す正面図である。
【図５】本発明の一実施態様におけるスイングバケットを示す正面図である。（Ａ）スプリング及びジャッキによってスイングローター取付部材（軸受）を移動可能なスイングバケットを示す正面図である。（Ｂ）ジャッキによってスイングローター取付部材（軸受）を移動可能なスイングバケットを示す正面図である。
【図６】本発明の一実施態様におけるスイングバケットを示す図である。（Ａ）及び（Ｂ）：スプリング及びジャッキによってスイングローター取付部材（軸）を移動可能なスイングバケットを示す正面図（Ａ）及び平面図（Ｂ）である。（Ｃ）及び（Ｄ）：ジャッキによってスイングローター取付部材（軸）を移動可能なスイングバケットを示す正面図（Ｃ）及び平面図（Ｄ）である。
【図７】本発明の一実施態様におけるスイングバケットの水平面に対して揺動軸の周りに傾斜している状態を確認する方法を示す図である（図では水平状態を示している）。（Ａ）スイングバケット吊り下げ台に吊り下げた、本発明の一実施態様におけるスイングバケットの正面図を示す。（Ｂ）（Ａ）のＢ−Ｂ断面を示す図である。
【図８】実施例において使用したスイングバケットを示す。（Ａ）錘による傾斜角調節をしない場合、スイングバケットの底板が水平面に対して５度傾いた状態となっている様子を示す。（Ｂ）錘による傾斜角調節によって、スイングバスケットの底板が水平化した様子を示す。
【図９】本発明の一実施態様におけるスイングバケットを用いて遠心した場合の細胞シートの接着状態を示す図である。（Ａ）遠心前の細胞シートを示す。（Ｂ）スイングバケットの底板が水平面に対して５度傾いた状態で遠心した後の細胞シートの状態を示す。（Ｃ）錘によって水平化した（傾斜角を零度に調節した）スイングバケットを用いて遠心した後の細胞シートの状態を示す。（Ｄ）（Ｃ）の細胞シートを１２０ｒｐｍで、２分間振盪処理した後の細胞シートの接着状態を示す。
【図１０】本発明の一実施態様におけるスイングバケットを用いて遠心した場合の細胞シートを示す図である。（Ａ）遠心前の細胞シートの状態を示す図である。（Ｂ）〜（Ｄ）：所定の遠心力に到達するまで、及び、所定の遠心力を停止するまでの時間を、４０秒（Ｂ）、２０秒（Ｃ）及び１０秒（Ｄ）と設定して遠心した後の、細胞シートの状態を示す図である。
【図１１】本発明の一実施態様におけるスイングバケットを用いて遠心した場合に、底板に印加される底板に平行な方向の加速度ベクトルの分布を示す図である。底板の中心点を原点とした平面座標系の格子点における加速度の、底板と平行な方向成分をベクトルで表現している。
【発明を実施するための形態】
【００１５】
以下、図面及び発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１６】
図中、同一の番号が付されている部材は、基本的には同一の機能を有する部材を示している。また、図中、スイングアームには１個のスイングバケットを備える形態が描かれているが、２個以上（好ましくは、偶数個）備えた形態であってもよいことは、当業者であれば理解することができる。
【００１７】
［分析］
図１（Ａ）は従来の遠心機１のスイングバケット１０上に培養容器９０を載置した状態を示している。図１（Ａ）の遠心機１は、培養容器９０に遠心力を印加するスイング型の遠心機１である。遠心機１は、回転軸２１に取り付けられたスイングアーム２２と、スイングアーム２２に吊り下げられたスイングバケット１０を備えている。スイングバケット１０は、培養容器９０を載置するための底板１１と、底板１１に連結され、対向するように設けられた一対の側部１２と、揺動軸（一対の吊り下げ軸部材２３の中心を通る軸（図１（Ｂ）のＡ−Ａ軸に相当））が底板１１と平行となるように、側部１２のそれぞれに設けられたスイングローター取付部材１３とを備えている。図１（Ａ）のスイングローター取付部材１３は、スイングアーム２２に設けられた吊り下げ軸部材２３に吊り下げることができる。
【００１８】
スイングバケット１０は、回転軸２１に連結されているモーター（図示しない）が回転することによって、回転軸２１を中心として回転する。また、スイングバケット１０は、回転軸２１の回転数に応じて、揺動軸を中心として、回転軸２１の外側方向へと振り上げられる。これにより、スイングバケット１０に載置された培養容器９０の培養面９１の方向へと遠心力を印加することができる。
【００１９】
通常、培養容器９０などを載置していない状態のスイングバケット１０の底板１１は、水平状態を保っている。しかしながら、サンプル（例えば、細胞群（懸濁液形態の細胞群又はシート形態の細胞群）を含む培養容器９０を底板１１に載せた場合、培養容器９０の重心が偏ってしまい、例えば図１（Ａ）のようにスイングバケット１０が回転軸２１方向に傾くことがある。細胞シートを培養容器９０の培養面９１に接着させるために図１（Ａ）の状態のまま遠心処理すると、図１（Ｃ）に示すように細胞シートが回転軸２１の外側方向へ横滑りを起こし、所望の形状を保ったまた培養面９１に接着させることができない。
【００２０】
細胞シートが横滑りを起こした状態について、図２を用いて説明する。回転軸２１が回転する速度（角速度）をω、回転軸２１から揺動軸までの距離をＲ、揺動軸からサンプルを含む培養容器９０およびスイングバケット１０からなる組合体の重心までの距離をｌ、回転軸２１が回転することによって振り上げられたスイングバケット１０の角度をΦ、サンプルを含む培養容器９０およびスイングバケット１０からなる組合体の質量をｍとする。この場合、重力はｍｇ、遠心力はｍｒω2として表すことができる（ここで、ｒ＝Ｒ＋ｌｓｉｎΦ）。サンプルを含む培養容器９０およびスイングバケット１０からなる組合体の重心に印加される力（Ｆ）は、重力ｍｇと遠心力ｍｒω2との合成より求めることができる（図２（Ａ））。例えば、培養面９１が、図のようにη角度傾いていた場合、Ｆを培養面９１に平行な方向の力（Ｆ1）と、培養面９１に垂直な方向の力（Ｆ2）に分解すると、図２（Ｂ）に示すように、回転軸２１の外側方向の加速度（＝Ｆ1）が生じていることがわかる。従って、図１（Ｃ）で見られた細胞シートの横滑りは、遠心時に生じる外側方向の加速度によってもたらされるものであることがわかる。
【００２１】
培養容器９０には、様々な形状があり（例えば、円形培養皿（例えば、３５ｍｍ培養皿、６０ｍｍ培養皿、１００ｍｍ培養皿など）、マルチウェルプレート（６ウェル、１２ウェル、２４ウェル、４８ウェル、９６ウェルなど）、ボトル型、その他不定形の容器など）、培地及び細胞を収容した培養容器９０の重心は、その都度変化する。そのため、どのような培養容器９０を用いた場合であっても、サンプルの横滑りを生じない遠心機の開発が必要である。
【００２２】
＜スイングバケット＞
本発明者らは、上記分析に基づき、鋭意研究開発を行った。その結果、停止中の遠心機におけるスイングバケットの底板にサンプルを含む培養容器が載置された時に、底板が水平面に対して揺動軸周りに任意の角度で傾斜するように調節可能な傾斜角調節手段を備えたスイングバケットを開発し、本発明の課題を解決するに至った。以下に具体的な態様について説明する。なお、以下の態様で示される各構成要素は、組み合わせた態様で本発明に採用できることは当業者であれば容易に理解することができる。
【００２３】
［態様１］
図３は、本発明の一実施態様のスイングバケット１０ａを備えた遠心機１を示している。スイングバケット１０ａは、培養容器９０を底板１１上に載置した場合に底板１１を水平面に対して揺動軸周りに任意の角度で傾斜させるための傾斜角調節手段として、底板１１の任意の場所に錘３０ａを備えている。スイングバケット１０ａの底板１１にサンプルを含む培養容器９０が載置された時に、錘３０ａの位置及び／又は質量を変えることによって、底板１１を任意の傾斜に保つことができる。錘３０ａは、図３のように底板１１の底面に設けられても良く、底板１１の上に載せられるものであってもよい。錘３０ａの質量は、スイングバケット１０ａの質量、サンプルを含む培養容器９０の質量、形状などによって決定される。錘３０ａは脱着可能な錘であってもよく、底板１１上の任意の方向にスライド可能な錘であってもよい。錘３０ａがスライドすることによって、底板１１を任意の傾斜に調節できる。錘３０ａを備えることで傾斜角を適切に調節することにより、遠心時にサンプル（例えばシート形態の細胞群）が横滑りすることが防止され、培養面９１に概ね垂直に加速度の印加が可能となる。
【００２４】
［態様２］
図４は、本発明の一実施態様のスイングバケット１０ｂを備えた遠心機１を示している。スイングバケット１０ｂは、培養容器９０を底板１１上に載置した場合に底板１１を水平面に対して揺動軸周りに任意の角度で傾斜させるための傾斜角調節手段として、一対の側部１２のそれぞれに、揺動軸が底板１１と平行となる位置に複数設けられたスイングローター取付部材１３（３０ｂ）を備えている（図４では、３つのスイングローター取付部材１３に相当する）。スイングローター取付部材１３が複数設けられていることにより、底板１１の傾斜角を調節するのに最適なスイングローター取付部材１３を選択して吊り下げ軸部材２３に吊り下げることができる。本実施態様において、スイングローター取付部材１３は、一対の側部１２のそれぞれに、揺動軸が底板１１と平行となる位置に設けられている。例えば、複数のスイングローター取付部材１３は、図４のように、底板１１と平行となるように複数設けられてもよい。スイングバケット１０ｂが、複数のスイングローター取付部材１３を備えることで、傾斜角を適切に調節することにより、遠心時にサンプル（例えば、シート形態の細胞群）が横滑りすることが防止され、培養面９１に概ね垂直に加速度の印加が可能となる。
【００２５】
［態様３及び４］
図５は、図４に示すスイングバケット１０ｂの変形例（スイングバケット１０ｃ（図５（Ａ）、態様３）及びスイングバケット１０ｄ（図５（Ｂ）、態様４））を示している。
【００２６】
スイングバケット１０ｃは、水平面に対して揺動軸周りに任意の角度で傾斜させるための傾斜角調節手段として、一対の側部１２のそれぞれに、揺動軸を底板１１と平行となる位置で調節可能な調節部材を備えている。本実施態様において、調節部材として、水平移行可能なスイングローター取付部材１３ａの両側にジャッキ３０ｃとスプリング３０ｄとを備えている。スプリング３０ｄの一端部は、スプリング留め３２と連結され、スプリング３０ｄの他端部はスイングローター取付部材１３ａと連結されている。また、本実施態様のジャッキ３０ｃは、雄ネジ式のジャッキ３０ｃであり、ジャッキ固定具３１に設けられた雌ネジとの組み合わせにより、スイングローター取付部材１３ａを所望の位置に調整可能となる。
【００２７】
スイングバケット１０ｄは、スイングバケット１０ｃの変形例であり、水平移行可能なスイングローター取付部材１３ａの両側にジャッキ３０ｃを備えている。スイングローター取付部材１３ａを移動するためには、ジャッキ３０ｃのそれぞれを調節し、所望の位置にスイングローター取付部材１３ａを調節することができる。
【００２８】
スイングバケット１０ｃ又はスイングバケット１０ｄは、スイングローター取付部材１３ａを移動可能な調節部材を備えることにより、底板１１に載置された培養容器９０の重心に応じて、適宜、底板１１を所望の傾斜角に調節することが可能となる。これにより、遠心時にサンプル（例えばシート形態の細胞群）が横滑りすることが防止され、培養面９１に対して概ね垂直に力の印加が可能となる。
【００２９】
調節部材としてのスプリング３０ｄ及びジャッキ３０ｃは、公知のものから同様の機能を有するものであれば適宜選択可能である。
【００３０】
［態様５及び６］
図６は、図５に示すスイングバケット１０ｃ及びスイングバケット１０ｄの変形例（スイングバケット１０ｅ（図６（Ａ）及び（Ｂ）、態様５）及びスイングバケット１０ｆ（図６（Ｃ）及び（Ｄ）、態様６））を示している。
【００３１】
スイングバケット１０ｅは、吊り下げ軸部材１３０ａを有するスイングローター取付部材１３ｂを備えている。スイングバケット１０ｅ側に吊り下げ軸部材１３０ａを備えているため、スイングローター２０側に吊り下げ軸受（図示しない）を有する。吊り下げ軸部材１３０ａには、吊り下げ軸受と嵌まるように留部１３１を備えている。これにより、スイングバケット１０ｅがスイングローター２０から脱落することが防止される。図６（Ｂ）に示すように、吊り下げ軸部材１３０ａは、側部１２を貫通した一本の吊り下げ軸部材１３０ａであってもよい。スイングローター取付部材１３ｂは、上記の態様３と同様、その両端にジャッキ３０ｃとスプリング３０ｄを有することによって、所望の位置にスイングローター取付部材１３ｂを調節可能である。
【００３２】
スイングバケット１０ｆは、吊り下げ軸部材１３０ｂを有するスイングローター取付部１３ｃを備えている。スイングローター取付部１３ｃは、上記の態様４と同様、その両端にジャッキ３０ｃを有することによって、所望の位置にスイングローター取付部材１３ｂを調節可能である。
【００３３】
＜スイングバケットの水平面に対する揺動軸周りの傾斜状態を確認する方法＞
図７はスイングバケット１０ａの水平面に対する揺動軸周りの傾斜状態を確認する方法について説明する図である。スイングバケット１０ａの水平面に対する揺動軸周りの傾斜状態を確認するために、例えば、スイングバケット吊り下げ台４０を用いて確認してもよい。スイングバケット吊り下げ台４０は、底部４２と、底部４２に垂直に連結された側部４１とを有する。側部４１は、スイングバケット１０ａを吊り下げるための吊り下げ軸部材４３を備えている。側部４１は、スイングバケット１０ａが視認できるように、透明な部材（例えば、アクリル板など）で作製されていることが好ましい。スイングバケット１０ａのスイングローター取付部材１３ａを吊り下げ軸部材４３に吊り下げ、さらに所望のサンプルを含む培養容器９０を底板１１に載置する。この時、底板１１が所望の傾斜状態にない場合は、傾斜角調節手段（本実施態様では、錘３０ａ）を調整することによって、底板１１を所望の傾斜状態に調節することができる。
【００３４】
スイングバケット１０ａには、さらに、底板１１の傾斜状態を確認するための傾斜計１４が設けられてもよい。傾斜計１４を確認しながら、スイングバケット１０ａの底板１１を所望の傾斜状態に調節することができる。傾斜計１４は、水準計であってもよい。
【００３５】
スイングバケット吊り下げ台４０の代わりに、遠心機１から取り外したスイングローター２０を用いることによって、同様にスイングバケット１０ａの傾斜状態を確認することも可能である。
【００３６】
＜遠心機＞
本発明の遠心機は、上記いずれかの態様のスイングバケットと、前記スイングバケットが取り付けられたスイングローターと、を備える遠心機である。また、本発明の遠心機は、さらに、２５℃〜５０℃の温度範囲の保温機能を有する遠心機であってもよい。
【００３７】
＜遠心機を用いて培養容器内の平坦な培養面上で細胞群に力を印加する方法＞
本発明は、上述の遠心機を用いて培養容器内の平坦な培養面上で細胞群に力を印加する方法を提供する。一実施態様において、本発明は、遠心機が、
スイングローターと、
前記スイングローターに取り付けられたスイングバケットと、
を備え、
ここで前記スイングバケットが、平坦な培養面を有する培養容器を載置するための底板と、
前記底板に連結され、対向するように設けられた一対の側部と、
揺動軸が前記底板と平行となるように、前記側部のそれぞれに設けられたスイングローター取付部材と、
を備え、
ここで、前記スイングバケットは、停止中の前記遠心機における前記スイングバケットの前記底板にサンプルを含む前記培養容器が載置された時に、前記底板が水平面に対して揺動軸の周りに任意の角度で傾斜するように調節できる傾斜角調節手段を有し、
以下の工程：
（１）第１細胞群を含む、平坦な培養面を有する培養容器を、前記スイングバケットの前記底板に載置し、前記傾斜角調節手段を調整して、前記底板水平面に対して前記揺動軸の周りに任意の角度で傾斜するよう調整する工程、
（２）前記工程（１）後の前記スイングバケットを前記遠心機にセットし、所定時間、遠心力を印加する工程、
を含む、方法、を提供する。
【００３８】
また、上記態様に加え、さらに、（３）前記第１細胞群の上に、第２細胞群を加え、所定時間、遠心力を印加する工程、を含んでもよい。
【００３９】
本明細書において、「細胞群」とは、複数の接着細胞を含む細胞集合をいい、例えば、任意の培地や緩衝液に懸濁された「懸濁液形態の細胞群」や、「シート形態の細胞群」が含まれる。本明細書において、「シート形態の細胞群」とは、容器の内底面上で少なくとも一層として形成された細胞群であって、容器の内底面から剥離されてシート形態で回収可能な細胞群をいい、例えば、公知の細胞シートや、特開２０１０−１６１９５２公報に記載されている、懸濁液形態の細胞群に遠心力を印加することによって形成されるシート形態の細胞群も含まれる。
【００４０】
本発明の一実施形態において、第１細胞群が「懸濁液形態の細胞群」である場合、本発明の方法を実施することによって、均一な層が形成されたシート形態の細胞群を得ることができる。
【００４１】
本発明の一実施形態において、第１細胞群が「シート形態の細胞群」である場合、本発明の方法を実施することによって、シート形態の第１細胞群の横滑りや変形が防止され、所望の形状を保ったまま、培養容器内の平坦な培養面上の任意の場所に接着させることができる。本発明の他の実施態様において、第２細胞群が「シート形態の細胞群」である場合、本発明の方法を実施することによって、シート形態の第２細胞群の横滑りや変形が防止され、所望の形状を保ったまま、シート形態の第１細胞群の上に接着させることができる。第１細胞群又は第２細胞群が「シート形態」である場合、培養容器内の培地は除去されていることが好ましい（ただし、第１細胞群及び第２細胞群が乾燥しない程度の培地は残存していてもよい）。これにより、表面張力によって、シート形態の第１細胞群又は第２細胞群を、任意の場所に配置させることができる。
【００４２】
シート形態の第１細胞群又は第２細胞群を得る方法としては、例えば、温度、ｐＨ、光、電気等の刺激によって分子構造を変化させる高分子が被覆された刺激応答性培養表面上で細胞をコンフルエント又はサブコンフルエントとなるまで培養し、温度、ｐＨ、光、電気等の刺激の条件を変えて刺激応答性培養表面を変化させることで、シート形態で剥離する方法、任意の培養表面上で細胞をコンフルエント又はサブコンフルエントとなるまで培養し、細胞培養表面上のシート形態の細胞群を端部から物理的にピンセット等により剥離する方法、ハイドロゲル等と共に細胞を培養表面上に播種し、形成されたシート形態の細胞群を剥離する方法などが挙げられるが、これらに限定されない。
【００４３】
本明細書において、刺激応答性培養表面に被覆されている「刺激応答性高分子」は、例えば、ポリ（Ｎ−イソプロピルアクリルアミド）（ＮＩＰＡＡｍ）、ポリ（Ｎ−イソプロピルアクリルアミド−アクリル酸）共重合体、ポリ（Ｎ−イソプロピルアクリルアミド−メチルメタクリレート）共重合体、ポリ（Ｎ−イソプロピルアクリルアミド−アクリル酸ナトリウム）共重合体、ポリ（Ｎ−イソプロピルアクリルアミド−ビニルフェロセン）共重合体、γ線照射したポリ（ビニルメチルエーテル）（ＰＶＭＥ）、ポリ（オキシエチレン）、核酸などの生体物質を高分子に組み込んだ樹脂、及び上記高分子に対して架橋剤によって架橋し作製したゲルなどが挙げられるがそれらに限定されない。
【００４４】
本明細書において「温度応答性高分子」は、刺激応答性高分子の１つであり、温度に応答して、その形状及び／又は性質を変化させる高分子をいう。温度応答性高分子としては、例えば、ポリ（Ｎ−イソプロピルアクリルアミド）、ポリ（Ｎ−イソプロピルアクリルアミド−アクリル酸）共重合体、ポリ（Ｎ−イソプロピルアクリルアミド−メチルメタクリレート）共重合体、ポリ（Ｎ−イソプロピルアクリルアミド−アクリル酸ナトリウム）共重合体、ポリ（Ｎ−イソプロピルアクリルアミド−ビニルフェロセン）共重合体、γ線照射したポリ（ビニルメチルエーテル）及び上記高分子に対して架橋剤によって架橋し作製したゲルなどが挙げられるが、それらに限定されない。好ましくは、例えば、ポリ（Ｎ−イソプロピルアクリルアミド）、ポリ（Ｎ−イソプロピルアクリルアミド−メチルメタクリレート）共重合体、ポリ（Ｎ−イソプロピルアクリルアミド−アクリル酸ナトリウム）共重合体及び上記高分子に対して架橋剤によって架橋し作製したゲルなどが挙げられるが、それらに限定されない。
【００４５】
一実施態様において、培養容器は、少なくともその培養面の一部に温度応答性培養表面を有する培養容器である。本明細書において、温度応答性培養表面に被覆されている温度応答性高分子は、例えば、水に対する上限臨界溶液温度（ＵＣＳＴ：Ｕｐｐｅｒ  Ｃｒｉｔｉｃａｌ  Ｓｏｌｕｔｉｏｎ  Ｔｅｍｐｅｒａｔｕｒｅ）又は下限臨界溶液温度（ＬＣＳＴ：Ｌｏｗｅｒ  Ｃｒｉｔｉｃａｌ  Ｓｏｌｕｔｉｏｎ  Ｔｅｍｐｅｒａｔｕｒｅ）が０〜８０℃であるものが挙げられる。臨界溶液温度とは、高分子の形状及び／又は性質を変化させる閾値の温度をいう。一実施態様において、温度応答性高分子は、ポリ（Ｎ−イソプロピルアクリルアミド）（ＮＩＰＡＡｍ）であってもよい。
【００４６】
ポリ（Ｎ−イソプロピルアクリルアミド）（ＮＩＰＡＡｍ）は３２℃に下限臨界溶液温度（ＬＣＳＴ）を有する高分子として知られ、遊離状態であれば、水中で３２℃以上の温度で脱水和を起こしＮＩＰＡＡｍが凝集して白濁する。逆に３２℃未満の温度ではＮＩＰＡＡｍは水和し、水に溶解した状態となる。本発明の一実施態様で用いられる温度応答性培養表面は、ＮＩＰＡＡｍがシャーレなどの培養表面に被覆されて固定されたものである。したがって、３２℃以上の温度であれば、培養表面のＮＩＰＡＡｍも同じように脱水和するが、ＮＩＰＡＡｍが培養表面に固定されているために培養表面が疎水性を示す。逆に、３２℃未満の温度では、培養表面のＮＩＰＡＡｍは水和するが、ＮＩＰＡＡｍが培養表面に被覆されているため、培養表面が親水性を示す。疎水性の培養表面は細胞が付着し、増殖することができる表面であり、また、親水性の培養表面は細胞が付着しにくい表面である。そのため、温度応答性培養表面を３２℃未満に冷却すると、細胞が培養表面から剥離する。細胞が培養表面全体にコンフルエントになるまで培養されていれば、培養表面を３２℃未満に冷却することによってシート状の細胞群を回収することができる。
【００４７】
本発明において、遠心力を印加する際に、２５〜４５℃の温度範囲に保つために、例えば、遠心機のローター周辺に加温装置を配置してもよく、遠心機自体を２５〜４５℃の温度範囲の場所に設置して使用してもよい。好ましくは、遠心機のローター周辺に加温装置を配置することである。加温装置は、特に限定されないが、例えばシリコーンゴムヒーターなどを用いることができる。ローター周囲の温度は、公知の温度測定デバイスを用いることにより測定することができる。測定された温度は、リアルタイムでモニターされ、過熱又は過冷却を防止することが好ましい。加熱装置は手動でオン／オフを調節してもよく、温度測定デバイスで測定された温度がリアルタイムにモニターされ、その結果に基づいて自動フィードバックする機構を備えていてもよい。
【００４８】
本発明において、遠心力を印加する際の温度は、例えば、２５℃〜４５℃、好ましくは３２℃〜４２℃であり、より好ましくは３３℃〜４１℃であり、さらに好ましくは３４℃〜３９℃であり、最も好ましくは３５℃〜３８℃である。上記温度範囲にて、細胞群に遠心力を印加すると、細胞自身による能動的な接着活性が促進され、培養表面又は他の細胞群への接着性がより向上する。
【００４９】
本明細書において、遠心力は、「ｎ×ｇ」（ｎは任意の数）で表すことができ、これは、地球の重力加速度のｎ倍の力であることを意味する。本発明において、培養面に印加される遠心力は、例えば、２５×ｇ〜５００×ｇ、２５×ｇ〜４５０×ｇ、２５×ｇ〜４００×ｇ、２５×ｇ〜３５０×ｇ、２５×ｇ〜３００×ｇ、２５×ｇ〜２５０×ｇ、５０×ｇ〜５００×ｇ、５０×ｇ〜４５０×ｇ、５０×ｇ〜４００×ｇ、５０×ｇ〜３５０×ｇ、５０×ｇ〜３００×ｇ、５０×ｇ〜２５０×ｇ、１００×ｇ〜５００×ｇ、１００×ｇ〜４５０×ｇ、１００×ｇ〜４００×ｇ、１００×ｇ〜３５０×ｇ、１００×ｇ〜３００×ｇ、１００×ｇ〜２５０×ｇであってもよい。遠心力を細胞群に印加すると、培養面又は他の細胞群への接着性が向上し、接着時間を短縮することができる。
【００５０】
本発明において、遠心力を印加するための遠心機の回転数（ｒｐｍ）は、使用する機器、ローターの種類、ローターの半径などによって適宜決定される。上記遠心力を印加するために必要とされる遠心機の回転数（ｒｐｍ）は、当業者に周知の方法によって、遠心力の値から換算することが可能である。
【００５１】
本明細書において、遠心力を印加する際の所定時間とは、目的の遠心力を維持している持続時間のことであり、目的の遠心力に到達するまでの時間、および遠心力を停止させるまでの時間を含まない。本発明において、所定時間は目的に応じて設定すればよく、印加する遠心力の大きさによっても変わる。第１細胞群又は第２細胞群がシート形態の細胞群である場合、所定時間は、例えば、０．５〜１０分、０．５〜９分、０．５〜８分、０．５〜７分、０．５〜６分、０．５〜５分、０．５〜４分、０．５〜３分、０．５〜２分、１〜１０分、１〜９分、１〜８分、１〜７分、１〜６分、１〜５分、１〜４分、１〜３分、１〜２分の範囲に設定すればよい。本発明において、第１細胞群又は第２細胞群が懸濁液形態の細胞群である場合、所定時間は、例えば、２０分以上、２５分以上、３０分以上、３５分以上、４０分以上、４５分以上、５０分以上、５５分以上、６０分以上、又はそれ以上であってもよく、好ましくは３０分以上である。第１細胞群又は第２細胞群が懸濁液形態の細胞群である場合、所定時間の上限値は特に限定されないが、例えば、２４０分以下、２１０分以下、１８０分以下、１５０分以下、１２０分以下であってもよい。
【００５２】
本明細書において、遠心力に到達するまでの時間とは、遠心機のローターが回転し始めた時点から、目的の遠心力に到達した時点までに要する時間をいう。本発明において、遠心力に到達するまでの時間は、２５秒以上であればよく、好ましくは３０秒以上、より好ましくは３５秒以上、最も好ましくは４０秒以上である。本発明において、遠心力に到達するまでの時間の上限値は特に限定されないが、例えば、３００秒以下、２５０秒以下、２００秒以下、１５０秒以下、１２０秒以下であってもよい。また、本発明において、遠心力に到達するまでの時間は、２５秒〜１２０秒、３０秒〜１２０秒、３５秒〜１２０秒、又は４０秒〜１２０秒の範囲に設定してもよい。遠心力に到達するまでの時間が、上記の時間であれば、遠心機の加速によって生じるシート形態の細胞群の滑り及び／又は顕著な変形を防止することが可能となる。
【００５３】
本明細書において、遠心力を停止させるまでの時間とは、目的の遠心力を生じている遠心機のローターの回転が減速し始めた時点から、遠心機のローターの回転が停止した時点までに要する時間をいう。本発明において、遠心力を停止させるまでの時間とは、２５秒以上であればよく、好ましくは３０秒以上、より好ましくは３５秒以上、最も好ましくは４０秒以上である。本発明において、遠心力を停止させるまでの時間の上限値は特に限定されないが、例えば、３００秒以下、２５０秒以下、２００秒以下、１５０秒以下、１２０秒以下であってもよい。また、本発明において、遠心力を停止させるまでの時間は、例えば、２５秒〜１２０、３０秒〜１２０秒、３５秒〜１２０秒、４０秒〜１２０秒の範囲に設定してもよい。
【００５４】
本発明の他の態様において、上記の（３）前記第１細胞群の上に、第２細胞群を加え、所定時間、遠心力を印加する工程、は、さらに、任意の回数繰り返すことができる。これにより、所望の厚さを有するシート状の細胞群を得ることが可能となる。
【実施例】
【００５５】
以下に、本発明を実施例に基づいて更に詳しく説明するが、これらは本発明を何ら限定するものではない。
【００５６】
なお、本実施例は、ローツェライフサイエンス社（茨城、日本）製のスイング式のプレート遠心機（ｉＳＰＩＮ−０４−２８）を用いた。
【００５７】
１．材料及び方法
１−１．細胞培養及び細胞シートの調製
Ｃ２Ｃ１２マウス筋芽細胞（大日本住友製薬社、大阪、日本）は、１０％ウシ胎児血清（ＦＢＳ）（ジャパン・バイオシーラム社、名古屋、日本）を補充し、１％ペニシリン／ストレプトマイシン（Ｉｎｖｉｔｒｏｇｅｎ、Ｃａｒｌｓｂａｄ、ＣＡ、ＵＳＡ）を含むダルベッコ変法イーグル培地（ＤＭＥＭ）（Ｓｉｇｍａ−Ａｌｄｒｉｃｈ、Ｓｔ．Ｌｏｕｉｓ、ＭＯ、ＵＳＡ）中で、を３７℃に設定したＣＯ2インキュベーター（パナソニックヘルスケア社、東京、日本）で培養した。
【００５８】
Ｃ２Ｃ１２筋芽細胞シートは、以前報告された方法に従い（Ｈａｒａｇｕｃｈｉ  Ｙ．，ｅｔ  ａｌ．，Ｎａｔ．Ｐｒｏｔｏｃ．２０１２；７：８５０−８５８；Ｈａｒａｇｕｃｈｉ  Ｙ．，ｅｔ  ａｌ．，Ｍｅｔｈｏｄｓ  Ｍｏｌ．Ｂｉｏｌ．２０１４；１１８１：１３９−１５５）、直径３５ｍｍの温度応答性培養皿（ＵｐＣｅｌｌ（登録商標））（セルシード社、東京、日本）を用い、２０℃に設定した他のＣＯ2インキュベーター（和研薬社、京都、日本）を使用して調製した。
【００５９】
１−２．加温遠心機による遠心力の印加
Ｈａｓｅｇａｗａらの方法に従い（Ｈａｓｅｇａｗａ  Ａ．，ｅｔ  ａｌ．，Ｊ．Ｂｉｏｍｅｄ．Ｍａｔｅｒ  Ｒｅｓ．Ａ．２０１５；１０３：３８２５−３８３３）、６穴培養プレート（Ｃｏｒｎｉｎｇ、ＮＹ、ＵＳＡ）の蓋及びポリジメチルシロキサン（ＰＤＭＳ）（東レ・ダウコーニング社、東京、日本）を用いて、直径３５ｍｍの温度応答性培養皿を固定するデバイスを作製し、当該デバイスをスイング式プレート遠心機（ｉＳＰＩＮ−０４−２８）（ローツェライフサイエンス社、茨城、日本）のスイングバケットにセットした。スイングバケットに、１２ｇの錘（すきまパテ）（セメダイン社、東京、日本）を遠心軸に近いスイングバケットの底板に載せた（図８）。錘が無い場合、スイングバケットの底板の、水平面に対する揺動軸周りの傾斜角は約５度であったが（図８（Ａ））、錘を載せたことで、前記底板は概ね水平となった（図８（Ｂ））。ヒーター（シリコーンゴムヒーター）（スリーハイ社、神奈川、日本）を遠心機の周囲にセットし、温度センサー（タイプＫ熱電対）（ＴＨ−８２９６−２、スリーハイ社）を備えた温度コントローラ（ｍｏｎｏｏｎｅ−１２０）（スリーハイ社）を遠心機へ導入し、ヒーターに連結した。過熱又は過冷却を避けるために、３５〜３７℃の間でコントローラの温度設定を適切に調整した。２２１×ｇ、１分又は２分（加減速の時間：４０秒（図９及び１０）、２０秒（図１０）又は１０秒（図１０））、３７℃にて、遠心処理を行った。
【００６０】
１−３．温度応答性培養表面上のＣ２Ｃ１２筋芽細胞シートの接着を定量的に評価するための機械的回転試験
【００６１】
１０％ＦＢＳと１％ペニシリン／ストレプトマイシンを含む加温ＤＭＥＭ培地（３７℃）２ｍＬを、細胞シートを有する培養皿に注ぎ、培養皿をヒートプレート（３７℃）にセットした。これをレシプロ式シェーカー（日伸理化社、東京、日本）にセットし、１２０ｒｐｍで２分間振盪させた。細胞シートと培養面との接着性がその間に維持された場合は接着していると評価し、剥がれた場合は接着していないと評価した。
【００６２】
２．結果
温度応答性培養皿上にコンフルエントに培養したＣ２Ｃ１２筋芽細胞を、２０℃に設定したＣＯ2インキュベーター内で、細胞シートとして自発的に剥離させ、剥離した細胞シートを培地中に浮遊させた。Ｈａｒａｇｕｃｈｉらの方法（Ｈａｒａｇｕｃｈｉ  Ｙ．，ｅｔ  ａｌ．，Ｎａｔ．Ｐｒｏｔｏｃ．２０１２；７：８５０−８５８）に従って、冷えた培地を新しい加温培地（３７℃）に交換した後、（ｉ）培養皿の回転、（ｉｉ）緩やかな培地の滴下、及び／又は（ｉｉｉ）穏やかな培地の吸引、によって、剥離した細胞シートを広げた（図９（Ａ））。これらの操作は３７℃のヒートプレート上で行った。剥離したＣ２Ｃ１２筋芽細胞シートを３５ｍｍ培養皿に接着させるために、錘無し（図８（Ａ））又は有り（図８（Ｂ））の状態で、１分間、遠心力を印加した。その結果、錘無しで、底板の傾斜角調節を行っていないスイングバケットを用いて印加した細胞シートは、遠心軸側とは反対方向に横滑りしていた（図９（Ｂ））。一方で錘を用いて傾斜角調節を行ったスイングバケットを用いて印加した細胞シートは、横滑りしなかった（図９（Ｃ））。細胞シートの培養皿への接着は、レシプロ式シェーカーで１２０ｒｐｍ、２分間処理後においても維持されていた（図９（Ｄ））。
【００６３】
遠心機の加速／減速の時間による、細胞シートの接着性の影響を調べるために、所定の遠心力（２２１×ｇ）に達するまでの時間及び停止するまでの時間を、４０秒、２０秒、１０秒に設定し、錘を用いて傾斜角調節を行ったスイングバケットを用いた遠心機において２分間、３７℃で力を印加した。その結果、加速／減速の時間を２０秒以下にすると、細胞シートが回転方向に変形することを認めた（図１０（Ｃ）及び（Ｄ））。
【００６４】
これは、スイングバケットの底板に配置した細胞シートに対して、細胞シートを回転方向に引き伸ばす力が加わっていることによるものと考えられ、加速／減速の時間が短い場合、細胞シートの培養面への接着が弱い時期に、前記した力が加わることで変形したものと考えられる。従って、加速／減速の時間、特に加速の時間を長くすることで、回転方向の変形を抑えることが可能である。なお、前記した力は理論的に計算可能であり、図１１に、底板と平行な方向成分をベクトルで表現したものを示した。
【符号の説明】
【００６５】
１    遠心機
１０、１０ａ、１０ｂ、１０ｃ、１０ｄ、１０ｅ、１０ｆ    スイングバケット
１１    底板
１２    側部
１３、１３ａ、１３ｂ、１３ｃ    スイングローター取付部材
１３０ａ、１３０ｂ    吊り下げ軸部材
１３１    留部
１４    傾斜計
２０    スイングローター
２１    回転軸
２２    スイングアーム
２３    吊り下げ軸部材
３０    水平化手段
３０ａ    錘
３０ｂ    複数のスイングローター取付部材
３０ｃ    ジャッキ
３０ｄ    スプリング
３１    ジャッキ固定具
３２    スプリング留め
４０    スイングバケット吊り下げ台
４１    側部
４２    底部
４３    吊り下げ軸部材
９０    培養容器
９１    培養面
【図１】
2019195781.tif 000003
【図２】
2019195781.tif 000004
【図３】
2019195781.tif 000005
【図４】
2019195781.tif 000006
【図５】
2019195781.tif 000007
【図６】
2019195781.tif 000008
【図７】
2019195781.tif 000009
【図８】
2019195781.tif 000010
【図９】
2019195781.tif 000011
【図１０】
2019195781.tif 000012
【図１１】
2019195781.tif 000013